【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
個人の日常生活を支援する方法であって、
前記個人からの試料中の１若しくはそれ以上のバイオマーカーの存在および／または濃度を測定する工程と、
ヒト生物学的表現型とヒト行動および／または情動表現型との間の相関関係を利用することにより、前記１若しくはそれ以上のバイオマーカーの測定された存在および／または濃度に基づいて前記個人の行動または情動状態を予測する工程と、
前記個人の予測された行動または情動状態に基づいて、前記個人の生活環境を改変し、前記個人にオーダーメイドの若しくはカスタマイズされた製品、サービス若しくは経験を提供し、または前記個人に情報、アドバイス若しくはガイダンスを提供する工程と
を有し、前記ヒト生物学的表現型とヒト行動および／または情動表現型との間の相関関係は前記１若しくはそれ以上のバイオマーカーと行動または情動状態との間の相関関係を有する方法。
【請求項２】
請求項１記載の方法において、前記１若しくはそれ以上のバイオマーカーはポリペプチド、ポリヌクレオチド、代謝産物、微生物、無機化合物およびイオンから成る群から選択されるものである方法。
【請求項３】
請求項２記載の方法において、前記１若しくはそれ以上のバイオマーカーの存在または濃度は、抗体、抗原、アプタマー、天然受容体、合成受容体、リガンド、酵素、酵素基質、核酸プローブから選択される認識分子を使用することによって測定されるものである方法。
【請求項４】
請求項３記載の方法において、前記抗体は前記１若しくはそれ以上のバイオマーカーに特異的に結合する条件付き活性抗体である方法。
【請求項５】
請求項１記載の方法において、複数の異なるバイオマーカーが測定され、前記複数の異なるバイオマーカーのこれらの測定値は前記予測する工程に使用されるものである方法。
【請求項６】
請求項１記載の方法において、前記測定する工程は、光変換器、質量ベースの変換器、磁場ベースの変換器、電気化学的変換器および熱量変換器から選択される変換器を有する１若しくはそれ以上のバイオセンサーを用いて行われるものである方法。
【請求項７】
請求項６記載の方法において、前記１若しくはそれ以上のバイオセンサーは、２つ以上の異なるバイオマーカーに特異的な２つ以上の異なる認識分子を有するものである方法。
【請求項８】
請求項１記載の方法において、前記試料中の１若しくはそれ以上のバイオマーカーの存在または濃度は、電位差電極、電流測定電極、および導電率測定電極から選択される１若しくはそれ以上の電極によって測定されるものである方法。
【請求項９】
請求項１記載の方法において、前記１若しくはそれ以上のバイオマーカーの存在または濃度は、抗体、アプタマー、オリゴヌクレオチド、およびこれらの組み合わせから選択される認識分子のアレイによって測定されるものである方法。
【請求項１０】
請求項１記載の方法において、前記測定する工程は受動的な反復測定を有し、または方向性がない方法を用いて行われるものである方法。
【請求項１１】
請求項１記載の方法において、前記測定する工程は前記個人の生理的パラメータを測定する工程をさらに有するものである方法。
【請求項１２】
請求項１２記載の方法において、前記生理的パラメータは、体温、脈拍数、血圧、呼吸数、水分補給状態、筋電活動、眼球の動き、およびこれらの組み合わせから選択されるものである方法。
【請求項１３】
請求項１記載の方法において、前記測定する工程で測定されるデータは、前記測定が行われる位置で時間と相関されるものである方法。
【請求項１４】
請求項１３記載の方法において、その時点での温度、高度ノイズ、高度、風、湿度、汚染、酸素、日照、花粉、群集密度、コンクリート、草、夜、昼、近くの高速道路、および交通量、航空機飛行、宇宙線レベル、ラドン曝露量、衣類、ならびにこれらの組み合わせから選択される、前記位置からの追加データは、前記測定する工程で測定され、または前記測定する工程で得られた１若しくはそれ以上の測定値と相関されるものである方法。
【請求項１５】
請求項１記載の方法において、前記個人の生活環境を改変する工程は、照明の明るさ及び／または色を調整すること、室温を調整すること、湿度を調整すること、家具を再配列すること、音楽を再生すること、音楽またはオーディオの音量を調整すること、ＴＶチャンネルを変更すること、録音した音声または音響を再生すること、壁またはスクリーンの外観を変更すること、屋根を格納すること、窓を開けるまたは閉めること、空気中の酸素濃度を調整すること、空気に香りを付加し、または空気の香りの調整すること、ならびに１若しくはそれ以上の風媒性化学物質を空気に導入することから選択される改変を有するものである方法。
【請求項１６】
請求項１記載の方法において、前記生活環境を改変する工程は、ディスプレイおよびウェブ検索結果の１若しくはそれ以上を改変する工程を有するものである方法。
【請求項１７】
請求項１記載の方法において、前記情報、アドバイスまたはガイダンスは、予測された行動を行う一連の行為、予測された行動を防止または緩和する一連の行為、予測された情動状態によりよく対処する一連の行為、およびこれらの組み合わせから選択される一連の行為を有するものである方法。
【請求項１８】
請求項１７記載の方法において、前記一連の行為は、専門家によるカウンセリングを求めること、旅行すること、運動すること、くつろぐこと、友達と会うこと、食事療法を取り入れること、ワインまたは飲料を飲むこと、映画を見ること、ある種のビデオゲームをすること、買い物をすること、正餐を取ること、浜辺を訪れること、ある種の衣装を着用すること、ある種のヘアースタイルをすること、友達と話すこと、デートサービスを利用すること、ゲームをすること、およびこれらの任意の組み合わせから選択される活動を有するものである方法。
【請求項１９】
請求項１記載の方法において、前記情報、アドバイスまたはガイダンスは、サプリメント、ビタミン、飲料、美容製品、パーソナルケア製品、体重減少製品、スキンケア製品、スポーツサプリメント、抽出物、プロバイオティクス、薬味、香味料、甘味料、味覚／芳香遮断物質／改変物質、膨張性薬剤、ビデオゲーム、電子機器、読み物、音楽、映画、ＴＶ番組、実況番組、衣装、アクセサリー、履物、家庭電化製品、運動器具、食品の種類、ボート、自動車、自転車、レストラン、事務用品、家具、および休暇を過ごすのに適したリゾート地／目的地から選択される１若しくはそれ以上の製品を提案することを有するものである方法。
【請求項２０】
請求項１記載の方法において、前記情報、アドバイスまたは、ガイダンスは、メッセージング、金融サービス、デートサービス、ケータリングサービス、ホームクリーニングサービス、家の修繕サービス、理髪サービス、化粧品サービス、専門化によるカウンセリングサービス、旅行サービス、カジノゲーミングサービス、ショッピングサービス、不動産サービス、スポーツ関連サービス、娯楽サービス、オンラインオークションサービス、および宿泊飲食サービスから選択される１若しくはそれ以上のサービスを提案することを有するものである方法。
【請求項２１】
請求項１記載の方法において、前記情報、アドバイスまたはガイダンスは、製品またはサービスについての少なくとも１つの宣伝またはクーポンを有するものである方法。
【請求項２２】
請求項１記載の方法であって、さらに、前記情報、アドバイスまたはガイダンスに関連して地元の企業を提案し、および／または地元の企業の地図位置を提供する工程を有し、前記情報、アドバイスまたはガイダンスは、製品またはサービスの提案を含み、および前記地元の企業は、その提案された製品またはサービスを提供するものである方法。
【請求項２３】
日常生活において個人を支援するシステムであって、
前記個人からの試料中の１若しくはそれ以上のバイオマーカーの存在および／または濃度を測定するための測定デバイスと、
ヒト生物学的表現型とヒト行動および／または情動表現型との間の相関関係を利用することにより、前記１若しくはそれ以上のバイオマーカーの測定された存在および／または濃度に基づいて前記個人の行動または情動状態を予測するための予測器と、
前記個人の予測された行動若しくは情動状態に基づいて前記個人の生活環境を改変し、または前記個人に情報、アドバイス若しくはガイダンスを提供するためのデバイスと、
ヒト生物学的表現型とヒト行動および／または情動表現型との間の相関関係を記憶するためのデータベースであって、前記ヒト生物学的表現型とヒト行動および／または情動表現型との間の相関関係は前記１若しくはそれ以上のバイオマーカーと行動または情動状態との間の相関関係を有するものである、前記データベースと
を有するシステム。
【請求項２４】
請求項２３記載のシステムにおいて、前記測定デバイスは、前記個人における血管系、口、尿通路、鼻腔、および胃腸管から選択される位置に埋植されるものであるシステム。
【請求項２５】
請求項２３記載のシステムにおいて、前記予測器および前記デバイスは、スマートフォン、タブレット型コンピュータ、ノート型コンピュータ、電子書籍リーダー、モバイルインターネットデバイス、携帯情報端末、インターネット電話、ホログラフィックデバイス、ホログラフィック電話、ケーブルインターネットデバイス、衛星インターネットデバイス、インターネットテレビ、デジタル加入者回線（ＤＳＬ）インターネットデバイス、およびリモコン装置から選択される電子デバイスの一部であるシステム。
【請求項２６】
請求項２５記載のシステムにおいて、前記情報、アドバイスまたはガイダンスは、前記電子デバイスのスクリーンに表示され、または前記電子デバイスのスピーカーによって放送されるものであるシステム。
【請求項２７】
請求項２６記載のシステムにおいて、宣伝またはクーポンが、前記電子デバイスのスクリーンに表示され、または前記電子デバイスのスクリーンで照会されるシステム。
【請求項２８】
請求項２３記載のシステムであって、さらに、体温、脈拍数、血圧、呼吸数、水分補給状態、眼球の動き、電筋活動およびこれらの組み合わせから選択される少なくとも１つの生理的パラメータを測定するための補足測定デバイスを有するシステム。
【請求項２９】
請求項２３記載のシステムであって、測定されるバイオマーカーの存在および／または濃度を前記測定が行われる位置で時間と相関させるための装置を有するシステム。
【請求項３０】
請求項２９記載のシステムにおいて、前記予測器は、前記測定する工程で得られた１若しくはそれ以上の測定値と相関関係がある、その時点での温度、高度ノイズ、高度、風、湿度、汚染、酸素、日照、花粉、群集密度、コンクリート、草、夜、昼、近くの高速道路、および交通量、航空機飛行、宇宙線レベル、ラドン曝露量、衣類、ならびにこれらの組み合わせから選択される、前記位置からの追加データを考慮するものであるシステム。
【請求項３１】
請求項２３記載のシステムにおいて、前記測定デバイスは、光変換器、質量ベースの変換器、磁場ベースの変換器、電気化学的変換器、および熱量変換器から選択される変換器を含む１若しくはそれ以上のバイオセンサーを有するものであるシステム。
【請求項３２】
請求項２３記載のシステムにおいて、前記測定デバイスは、巨大磁気抵抗構造、ナノワイヤー、マイクロ流体回路、ナノチューブ、およびバイオチップから選択される構造を含む１若しくはそれ以上のバイオセンサーを有するものであるシステム。
【請求項３３】
請求項２３記載のシステムにおいて、前記測定デバイスは、電位差電極、電流測定電極、および導電率測定電極から選択される１若しくはそれ以上の電極を有するものであるシステム。
【請求項３４】
請求項２３記載のシステムにおいて、前記測定デバイスは、抗体アレイ、アプタマーアレイ、オリゴヌクレオチドアレイ、およびこれらの組み合わせから選択されるアレイを有するものであるシステム。
【請求項３５】
請求項２３記載のシステムにおいて、前記個人の生活環境の改変は、照明の明るさおよび／または色を調整すること、室温を調整すること、湿度を調整すること、家具を再配列すること、音楽を再生すること、音楽またはオーディオの音量を調整すること、ＴＶチャンネルを変更すること、録音した音声または音響を再生すること、壁またはスクリーンの外観を変更すること、屋根を格納すること、窓を開けるまたは閉めること、空気中の酸素濃度を調整すること、空気に香りを付加し、または空気の香りの調整すること、ならびに１若しくはそれ以上の風媒性化学物質を空気に導入することから選択される改変を有するものであるシステム。
【請求項３６】
請求項２３記載のシステムにおいて、前記生活環境の改変は、ディスプレイおよびウェブ検索結果の１若しくはそれ以上の改変を有するものであるシステム。
【請求項３７】
請求項２３記載のシステムにおいて、前記情報、アドバイスまたはガイダンスは、予測された行動を行う一連の行為、予測された行動を防止または緩和する一連の行為、予測された情動状態によりよく対処する一連の行為、およびこれらの組み合わせから選択される一連の行為を有するものであるシステム。
【請求項３８】
請求項２３記載のシステムにおいて、前記一連の行為は、専門家によるカウンセリングを求めること、旅行すること、運動すること、くつろぐこと、友達と会うこと、食事療法を取り入れること、ワインまたは飲料を飲むこと、映画を見ること、ある種のビデオゲームをすること、買い物をすること、正餐を取ること、浜辺を訪れること、ある種の衣装を着用すること、ある種のヘアースタイルをすること、友達と話すこと、デートサービスを利用すること、ゲームをすること、およびこれらの任意の組み合わせから選択される活動を有するものであるシステム。
【請求項３９】
請求項２３記載のシステムにおいて、前記情報、アドバイスまたはガイダンスは、サプリメント、ビタミン、飲料、美容製品、パーソナルケア製品、体重減少製品、スキンケア製品、スポーツサプリメント、抽出物、プロバイオティクス、薬味、香味料、甘味料、味覚／芳香遮断物質／改変物質、膨張性薬剤、ビデオゲーム、電子機器、読み物、音楽、映画、ＴＶ番組、実況番組、衣装、アクセサリー、履物、家庭電化製品、運動器具、食品の種類、ボート、自動車、自転車、レストラン、事務用品、家具、および休暇を過ごすのに適したリゾート地／目的地から選択される１若しくはそれ以上の製品を提案することを有するものであるシステム。
【請求項４０】
請求項２３記載のシステムにおいて、前記情報、アドバイスまたはガイダンスは、メッセージング、金融サービス、デートサービス、ケータリングサービス、ホームクリーニングサービス、家の修繕サービス、理髪サービス、化粧品サービス、専門化によるカウンセリングサービス、旅行サービス、カジノゲーミングサービス、ショッピングサービス、不動産サービス、スポーツ関連サービス、娯楽サービス、オンラインオークションサービス、および宿泊飲食サービスから選択される１若しくはそれ以上のサービスを提案することを有するものであるシステム。
【請求項４１】
請求項２３記載のシステムであって、さらに、前記情報、アドバイスまたはガイダンスに関連して地元の企業を提案し、および／または地元の企業の地図位置を提供するための装置を有し、前記情報、アドバイスまたはガイダンスは、製品またはサービスの提案を含み、および前記地元の企業はその提案された製品またはサービスを提供するものであるシステム。
【請求項４２】
請求項２３記載のシステムにおいて、スマートフォン、タブレット型コンピュータ、ノート型コンピュータ、電子書籍リーダー、モバイルインターネットデバイス、携帯情報端末、インターネット電話、ホログラフィックデバイス、ホログラフィック電話、ケーブルインターネットデバイス、衛星インターネットデバイス、インターネットテレビ、デジタル加入者回線（ＤＳＬ）インターネットデバイス、およびリモコン装置から選択される電子デバイスを使用して実行されるシステム。
【請求項４３】
請求項４２記載のシステムにおいて、前記電子デバイスは、前記情報、アドバイスまたはガイダンスに関連して企業の地図位置を提供するように構成されており、前記情報、アドバイスまたはガイダンスは、製品またはサービスを提案し、および前記企業は前記製品またはサービスを提供するものであるシステム。
【請求項４４】
請求項４２記載のシステムにおいて、前記電子デバイスは、提案された製品またはサービスについてのフィードバックを得るように構成されており、前記フィードバックは、前記製品またはサービスを格付けするために用いるのに適しており、および前記情報、アドバイスまたはガイダンスは、前記製品またはサービスを提案しているものであるシステム。
【請求項４５】
請求項１記載の方法において、前記試料中の１若しくはそれ以上のバイオマーカーの存在または濃度は、質量分析によって測定される方法。
【請求項４６】
請求項１記載の方法において、前記測定する工程における測定は、方向性がない方法、非侵襲的方法、前記個人には見えない方法、縦方向の方法、迅速な方法を用いて、またはリアルタイムで行われる方法。
【請求項４７】
請求項１記載の方法において、前記測定する工程は個人用共有デバイスを使用して行われる方法。
【請求項４８】
請求項１記載の方法において、前記行動は、嗜好、ウェルネスニーズ、ウェルネスからの逸脱、性格傾向および／または欲求を含む生活習慣行動である方法。
【請求項４９】
請求項１記載の方法において、前記相関関係は、前記ヒトにフィードバックまたはガイダンスを提供するために、製品および／若しくはサービスのマーケティングおよび／若しくは販売に用いるための情報を製品提供者若しくはサービス提供者に提供するために、製品若しくはサービスの等級付け若しくは格付けに有用な情報を製品提供者若しくはサービス提供者に提供するために、または新たなおよび／若しくはよりよい製品若しくはサービスの設計に有用な情報を製品提供者若しくはサービス提供者に提供するために用いられるものである方法。
【請求項５０】
請求項１記載の方法において、１０より多くの、２０より多くの、１００より多くの、１０００より多くの、または１０，０００より多くのバイオマーカーが測定される方法。
【請求項５１】
請求項１記載の方法において、前記ヒト生物学的表現型は２つのバイオマーカー間の濃度の比を含むものである方法。
【請求項５２】
請求項１記載の方法において、前記ヒト生物学的表現型はバイオマーカーの濃度とハウスキーピング遺伝子産物の濃度との間の比を含むものである方法。
【請求項５３】
請求項２３記載のシステムにおいて、前記データベースは、対象の生物学的表現型に関するデータ、行動および／または情動表現型に関する調査に基づくデータ、地図位置に関するデータ、ならびに環境因子に関するデータから成る群から選択される新たなデータを受け取り続けるように構成されているものであるシステム。
【請求項５４】
請求項５３記載のシステムにおいて、前記データベースは、前記新たなデータに基づいて少なくとも１つの新たな相関関係を含むべく進化するように構成されているものであるシステム。
【手続補正２】
【補正対象書類名】明細書
【補正対象項目名】０００８
【補正方法】変更
【補正の内容】
【０００８】
バイオセンサーは、医療診断によく使われている（Ｔｕｒｎｅｒ，「Ｂｉｏｓｅｎｓｏｒｓ：ｓｅｎｓｅ  ａｎｄ  ｓｅｎｓｉｂｉｌｉｔｙ」，Ｃｈｅｍ  Ｓｏｃ  Ｒｅｖ，ｖｏｌｕｍｅ  ４２，ｐａｇｅｓ  ３１８４〜３１９６，２０１３）。様々な生物学的に適切な分析物のための単純で使用しやすいバイオセンサーが医療業界においてとてつもなく大きな関心を集めている。米国特許第８，３７０，０６８号明細書には、様々な疾患の診断のためのバイオセンサーを有する埋植型デバイスが開示されている。前記デバイスは、センサーユニット、コントローラ、治療ユニット、および電源モジュールを含む。これらの構成要素は、他の構成要素と内部接続されていることもあり、または電気、電子若しくは電磁シグナル、例えば、光、無線周波、デジタル、アナログ若しくは他のシグナル伝達方式を用いて通信することもある。バイオセンサーは、個人のゲノム、プロテオーム、代謝、転写、翻訳、血圧、炭水化物および酸素濃度を検出し得る。上で論じた方法およびシステムは、人の生物学的マーカーおよび任意選択で彼らの時間的位置と相関関係がある人の行動または情動状態に関連した情報に基づく支援、アドバイス、ガイダンスまたはフィードバックの提供に対処していない。本発明は、人の行動または情動状態に対応するためのアドバイス、ガイダンスおよび／またはフィードバックを人に提供して、人の生活環境を改変する能力をもたらすことにより、人の日常生活を支援することに関する。本発明は、製品またはサービス提供者に情報を提供することにさらに関し、前記製品またはサービス提供者は、その情報を使用して、宣伝および販売目的で、または個人用製品若しくはカスタマイズされた製品の設計のために、製品（例えば、製品品質および効率）を標準化または格付けすることができる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，５９１，５７０号明細書
（特許文献２）  米国特許第４，８２９，０１０号明細書
（特許文献３）  米国特許第５，１００，７７７号明細書
（特許文献４）  米国特許第５，２７０，１６３号明細書
（特許文献５）  米国特許第５，４７５，０９６号明細書
（特許文献６）  米国特許第６，７９７，５２２号明細書
（特許文献７）  米国特許第７，０６７，３２６号明細書
（特許文献８）  米国特許第８，３７０，０６８号明細書
（特許文献９）  米国特許出願公開第２００３／００４５８２７号明細書
（特許文献１０）  米国特許出願公開第２００７／０１９６２３９号明細書
（特許文献１１）  米国特許出願公開第２００７／０２５５１１３号明細書
（特許文献１２）  米国特許出願公開第２００８／０２５６４４５号明細書
（特許文献１３）  米国特許出願公開第２０１０／０２６０７３９号明細書
（特許文献１４）  米国特許出願公開第２０１２／０１３６６６６号明細書
（特許文献１５）  米国特許出願公開第２０１２／０１６４１２７号明細書
（特許文献１６）  米国特許出願公開第２０１２／０１６６２１０号明細書
（特許文献１７）  米国特許出願公開第２０１２／０２５８８６５号明細書
（特許文献１８）  国際公開第２００１／０１６５７５号
（特許文献１９）  国際公開第２００５／０６４３３７号
（特許文献２０）  欧州特許出願公開第２３９０６５１号明細書  
（特許文献２１）  韓国公開特許第１０−２００９−００２４６８６号公報
（特許文献２２）  国際公開第９９／６２０４３号
（特許文献２３）  国際公開第２００８／０８８２８８号
（特許文献２４）  国際公開第２００６／０５９２７０号
（特許文献２５）  国際公開第２００７／１０２６２９号
（特許文献２６）  国際公開第２００７／１４６４９号
（特許文献２７）  国際公開第２０１２／０７５４４５号
（特許文献２８）  国際公開第２０１３／０３３３５９号
（特許文献２９）  米国特許出願公開第２０１０／０３３１１４６号明細書
（特許文献３０）  米国特許第８，２７５，６３５号明細書
（特許文献３１）  米国特許出願公開第２０１１／００１００９９号明細書
（特許文献３２）  米国特許出願公開第２０１１／００５５１２８号明細書
（非特許文献）
（非特許文献１）  Ｉｎｔｅｒｎａｔｉｏｎａｌ  Ｓｅａｒｃｈ  Ｒｅｐｏｒｔ；  Ｍａｉｌｅｄ  ２０１４−０９−２３  ｆｏｒ  ＰＣＴ  Ａｐｐｌｉｃａｔｉｏｎ  Ｎｏ．ＰＣＴ／ＵＳ２０１４／０３９２８２
（非特許文献２）  Ｋａｎｄｅｌ，Ｄｅｎｉｓｅ  Ｂ．，ｅｔ  ａｌ．"Ｕｒｉｎｅ  ｎｉｃｏｔｉｎｅ  ｍｅｔａｂｏｌｉｔｅｓ  ａｎｄ  ｓｍｏｋｉｎｇ  ｂｅｈａｖｉｏｒ  ｉｎ  ａ  ｍｕｌｔｉｒａｃｉａｌ／ｍｕｌｔｉｅｔｈｎｉｃ  ｎａｔｉｏｎａｌ  ｓａｍｐｌｅ  ｏｆ  ｙｏｕｎｇ  ａｄｕｌｔｓ．"Ａｍｅｒｉｃａｎ  Ｊｏｕｒｎａｌ  ｏｆ  Ｅｐｉｄｅｍｉｏｌｏｇｙ  １６５．８（２００７）：  ９０１−９１０．
（非特許文献３）  Ｅｂｓｔｅｉｎ，Ｒｉｃｈａｒｄ  Ｐ．，ｅｔ  ａｌ．"Ｇｅｎｅｔｉｃｓ  ｏｆ  ｈｕｍａｎ  ｓｏｃｉａｌ  ｂｅｈａｖｉｏｒ．"Ｎｅｕｒｏｎ  ６５．６（２０１０）：  ８３１−８４４．
（非特許文献４）  Ａｒｎｏｌｄ，Ｃａｒｒｉｅ．"Ｇｕｔ  ｆｅｅｌｉｎｇｓ：  ｔｈｅ  ｆｕｔｕｒｅ  ｏｆ  ｐｓｙｃｈｉａｔｒｙ  ｍａｙ  ｂｅ  ｉｎｓｉｄｅ  ｙｏｕｒ  ｓｔｏｍａｃｈ．"Ｔｈｅ  Ｖｅｒｇｅ  ２１（２０１３）．
（非特許文献５）  Ｊａｇａｎｎａｔｈ，Ａａｒｔｉ，ｅｔ  ａｌ．"Ｔｈｅ  ＣＲＴＣ１−ＳＩＫｌ  ｐａｔｈｗａｙ  ｒｅｇｕｌａｔｅｓ  ｅｎｔｒａｉｎｍｅｎｔ  ｏｆ  ｔｈｅ  ｃｉｒｃａｄｉａｎ  ｃｌｏｃｋ．"Ｃｅｌｌ  １５４．５（２０１３）：  １１００−１１１１．
（非特許文献６）  Ｇｒｅｅｎｆｉｅｌｄｂｏｙｃｅ，Ｎ．，"Ｆａｔ  Ｂａｃｔｅｒｉａ  ｉｎ  Ｈｕｍａｎ  Ｇｕｔｓ  Ｔｉｅｄ  ｔｏ  Ｏｂｅｓｉｔｙ，"Ｄｅｃｅｍｂｅｒ  ２０，２００６；  Ｒｅｔｒｉｅｖｅｄ  ｆｒｏｍ  ｈｔｔｐ：／／ｗｗｗ．ｎｐｒ．ｏｒｇ／ｔｅｍｐｌａｔｅｓ／ｓｔｏｒｙ／ｓｔｏｒｙ．ｐｈｐ？ｓｔｏｒｙｌｄ＝６６５４６０７